(57)【要約】【課題】容器の複雑な色合いを表現し、容器形状がより立体的に見える薬液容器を提供する。【解決手段】カバー部３０は着色した透明又は半透明の樹脂から成り、薬液収容部２０の貯液部２１の色と異なる色が採用されている。貯液部２１に濃い色、カバー部３０に同系色の薄い色を採用することで、薬液容器の中央から外側に向かっての色の変化が強調されて見えるので、カバー部３０の形状がより立体的に見えることになる。また、貯液部２１の受穴部２４でカバー部３０の支柱部を支持することで、カバー部３０に流水が衝突するとカバー部３０が適度に揺れ動くことになり、視覚的に楽しませることができる。【選択図】図１
2019183489.tif 000002
【特許請求の範囲】
【請求項１】
皿形状をした支持部と、薬液を収容する貯液部を有し、前記支持部に取り付ける薬液収容部と、該薬液収容部を覆うように取り付けるカバー部とから成る薬液容器であって、
前記貯液部は着色した透明又は半透明の樹脂から成り、前記カバー部は前記貯液部の色と異なる色で着色した透明又は半透明の樹脂から成ることを特徴とする薬液容器。
【請求項２】
前記貯液部の色と前記カバー部の色とは同系色であることを特徴とする請求項１に記載の薬液容器。
【請求項３】
前記貯液部の色は濃い色とし、前記カバー部の色は同系色の薄い色としたことを特徴とする請求項２に記載の薬液容器。
【請求項４】
前記カバー部の形状は、生物の形状をしていることを特徴とする請求項１〜３の何れか１項に記載の薬液容器。
【請求項５】
前記貯液部の頂面には凹状の受穴部を設け、前記カバー部の重心位置であって、前記カバー部の内側から中央に向けて棒状の支柱部を設け、前記受穴部により前記支柱部を支持するようにして、前記カバー部を前記薬液収容部に取り付けることを特徴とする請求項１〜４の何れか１項に記載の薬液容器。
【発明の詳細な説明】
【技術分野】
【０００１】
本発明は、トイレの貯水タンク上方の手洗部に載置される薬液容器に関するものである。
【背景技術】
【０００２】
トイレの貯水タンク上方の手洗部に載置する薬液容器として、特許文献１には芳香洗浄剤等の薬液を収容する薬液容器と、この薬液容器を支持するカップ状の支持体と、この支持体内に取り付けられ薬液容器と接続される調整部材とを備えた薬液供給具が開示されている。
【０００３】
手洗カランから供給される流水がカップ状の支持体に案内され、調整部材に留まっている薬液と共に、貯水タンクへと流れ込むことになる。そして、操作レバーを回動させることで、貯水タンクに溜まった薬液混合水が便器に流れて、便器の汚れの付着の防止、洗浄を行ったり、臭いを防止することができる。
【先行技術文献】
【特許文献】
【０００４】
【特許文献１】特願２００４−３００８６１号公報
【発明の概要】
【発明が解決しようとする課題】
【０００５】
特許文献１に示すような薬液容器には、薬液残量を目視できるように通常では着色した透明又は半透明の樹脂容器、又は無色の透明又は半透明の樹脂容器が用いられている。しかし、薬液容器の色が単色であるため単調なものとなってしまう。また、多色成形も可能であるが手間を要することになる。更に、手洗カランから供給される流水に対して、薬液容器の動きがないため面白味に欠けるという問題もある。
【０００６】
本発明の目的は、上述の問題点を解消し、容器の複雑な色合いを表現し、容器形状がより立体的に見える薬液容器を提供することにある。
【課題を解決するための手段】
【０００７】
上記目的を達成するための本発明に係る薬液容器は、皿形状をした支持部と、薬液を収容する貯液部を有し、前記支持部に取り付ける薬液収容部と、該薬液収容部を覆うように取り付けるカバー部とから成る薬液容器であって、前記貯液部は着色した透明又は半透明の樹脂から成り、前記カバー部は前記貯液部の色と異なる色で着色した透明又は半透明の樹脂から成ることを特徴とする。
【発明の効果】
【０００８】
本発明に係る薬液容器によれば、カバー部と、薬液収容部の貯液部とに、異なる色の透明又は半透明の樹脂を配置することで、単調な色でなく複雑な色合いを楽しむことが可能である。また、同系色の異なる色を採用することで中央から外側に向かっての色の変化が強調されて見えるので、カバー部の形状がより立体的に見えるという視覚効果を得ることもできる。
【０００９】
また、貯液部の受穴部でカバー部の支柱部を支持することで、カバー部に流水が衝突するとカバー部が適度に揺れ動くことになり、視覚的に楽しませるという効果も得ることができる。
【図面の簡単な説明】
【００１０】
【図１】薬液容器の分解斜視図である。
【図２】組み立てた状態の斜視図である。
【図３】横断面図である。
【図４】縦断面図である。
【発明を実施するための形態】
【００１１】
本発明を図示の実施例に基づいて詳細に説明する。
図１は薬液容器の分解斜視図、図２は組み立てた状態の斜視図、図３は横断面図、図４は縦断面図である。
【００１２】
薬液容器の大きさは、横１２ｃｍ、幅４ｃｍ、高さ６ｃｍ程度であり、用途に応じて複数の大きさものを用意し、適宜に使用することができる。薬液容器はプラスチック等の樹脂製から成り、トイレの貯水タンク上方の手洗部に載置して使用する。
【００１３】
薬液容器は皿形状をした支持部１０と、この支持部１０上に取り付けられ、芳香液や、洗浄液等の薬液を収容する薬液収容部２０と、この薬液収容部２０を覆うように薬液収容部２０に取り付けるカバー部３０とから構成されている。
【００１４】
楕円皿形状の支持部１０の内側中央には、円筒状の挿通筒部１１が立設されており、挿通筒部１１の底面には流出孔部１２が設けられている。
【００１５】
また、挿通筒部１１の上端は鋭利形状とされ、挿通筒部１１を取り囲むように、円筒状の固定筒部１３が立設されている。この固定筒部１３の高さは、挿通筒部１１の高さよりも低く、固定筒部１３と挿通筒部１１との間には、円環状の溝部１４が形成されている。
【００１６】
支持部１０の側面には、上下方向に沿って複数本のスリット部１５が平行に設けられており、支持部１０の裏面中央には、下方向に垂下する複数本の脚部１５６が配置されている。
【００１７】
そして、これらの脚部１６を囲むように、支持部１０の裏面の略４隅に台座部１７配置されている。これらの台座部１７の垂下する長さは、脚部１６の突起状の長さよりも短くされている。
【００１８】
薬液収容部２０は、中空状の貯液部２１と、この貯液部２１の底中央の開口部２２に取り付けるキャップ部２３とから構成されている。貯液部２１は着色した透明又は半透明の樹脂から成る容器であり、図１においては他面体の略半球形状をしているが、滑らかな半球形状等の適宜の形状を採用することができる。また、貯液部２１の頂面には、凹状の受穴部２４が設けられている。
【００１９】
円筒状である開口部２２の上方外側面には、水平方向に沿って円環状にリブ２５が設けられており、このリブ２５の下側であって開口部２２の下端には、先端が先細る鉤状をした被係止部２６が設けられている。
【００２０】
キャップ部２３は有蓋の円筒部２７と、この円筒部２７の下端部と連続し、開口部２２の被係止部２６を引っ掛けるリブ構造をした係止部２８とを有している。
【００２１】
薬液収容部２０は開口部２２を上にした状態で、貯液部２１内に薬液を充填し、上方から開口部２２にキャップ部２３を押し込む。キャップ部２３の係止部２８をリブ２５に当接するまで押し込むことで、係止部２８と被係止部２６によりキャップ部２３が薬液収容部２０に係止されることになる。係止部２８と被係止部２６との係止は、嵌め殺し構造となっており、このようにして薬液が薬液収容部２０内に密封されることになる。
【００２２】
カバー部３０は金魚の形状をしているが、金魚の形状に限定されるものではなく、様々な動物、魚等の生物の形状や幾何学的な立体形状を適宜に採用することができる。
【００２３】
カバー部３０は着色した透明又は半透明の樹脂から成り、薬液収容部２０の貯液部２１の色と異なる色が採用されている。例えば、貯液部２１に赤色を採用し、カバー部３０にオレンジ色を採用することで、図２に示すように組み立てた際に金魚の胴体部はオレンジ色で縁取られ、中央が濃いオレンジ色となる。
【００２４】
また、胴体部が濃いオレンジ色、尻尾部はオレンジ色となるため、実際の金魚に近い色合いとなる。更にカバー部３０の金魚の眼に相当する個所には黒色で着色することが好ましい。
【００２５】
貯液部２１及びカバー部３０には、同系色の異なる色を配置することが好ましく、特に貯液部２１に濃い色、カバー部３０に同系色の薄い色、例えば貯液部２１に青色、カバー部３０に水色、貯液部２１に緑色、カバー部３０に黄緑色のように各色を採用することがより好ましい。
【００２６】
貯液部２１及びカバー部３０にこのような配色を行うことで、薬液容器の中央から外側に向かっての色の変化が強調されて見えるので、カバー部３０の形状がより立体的に見えることになる。
【００２７】
なお、支持部１０については、カバー部３０と同じ色の樹脂であってもよいし、非透明の白色、無色透明等の樹脂を採用しても構わない。
【００２８】
カバー部３０は薬液収容部２０全体を上方から覆うことが可能な形状をしており、カバー部３０の重心位置であって、カバー部３０の内側から中央に向けて棒状の支柱部３１が垂下している。支柱部３１の高さは貯液部２１の受穴部２４の深さより長くなっている。
【００２９】
薬液容器を組み立てる際は、先ず支持部１０に薬液収容部２０を取り付ける。取付け方は、挿通筒部１１の鋭利な先端をキャップ部２３の円筒部２７の膜状である蓋部に押しあてて蓋部を突き破ることで、キャップ部２３内に挿通筒部１１を押し込む。そして、溝部１４の底にキャップ部の下端が当接するまで押し込むことで、支持部１０及び薬液収容部２０は一体化し、貯液部２１内の薬液が挿通筒部１１内に進入することになる。挿通筒部１１内に進入した薬液は、挿通筒部１１の底に設けた流出孔部１２から少しずつ滴下することになる。滴下する薬液の量は、１ヵ月程度で貯液部２１内の薬液が空になる程度の量である。
【００３０】
次に、薬液収容部２０にカバー部３０を取り付ける。取り付け方は、カバー部３０の支柱部３１の下端を貯液部２１の受穴部２４内に挿入して、受穴部２４で支柱部３１を支持するようにする。支柱部３１のみでカバー部３０を支えることになり、カバー部３０は前後左右にぐらつく状態となっている。
【００３１】
このようにして、図２に示すように組み立てた薬液容器を、貯水タンク上方の手洗部の流水孔に脚部１６を挿入すると共に、貯水タンク上方の手洗部の底面に台座部１７を接触するようにして、薬液容器を貯水タンク上方の手洗部に載置する。脚部１６及び台座部１７により、薬液容器が手洗部から移動したり倒れたりすることはない。
【００３２】
薬液容器を載置した後に、トイレのレバーを回動することで手洗カランから流水が供給されると、流水がカバー部３０に衝突して、カバー部が前後左右に揺れ動くことになる。揺れ動くことで金魚が泳いでいるように見えることになる。
【００３３】
なお、支柱部３１の径の大きさ及び長さと、薬液収容部の受穴部２４の径の大きさ及び深さとは、カバー部３０に衝突する最大流量でカバー部３０が適度に揺れる程度に調節されることになる。
【００３４】
カバー部３０に衝突した後の流水は、スリット部１５を通ってタンク内に流れ込む。そして、流出孔部１２から少しずつ滴下する薬液と混ざり、薬液混合水となりタンク内に溜まることになる。
【００３５】
また、支持部１０の上縁部に対称になるように一対の引掛孔部を設け、カバー部３０の胴体部の下縁部に対象になるように一対の引掛片部を設けるようにして、引掛片部を引掛孔部に挿入して固定するようにしてもよい。このようにして、支持部１０とカバー部３０とを一体化することで、カバー部３０が流水の衝突に応じて揺れ動くことはなくなる。従って、支柱部３１及び受穴部２４は不要となる。
【００３６】
このように、カバー部３０と、薬液収容部２０の貯液部２１とに、異なる色の透明又は半透明の樹脂を配置することで、薬液容器は単調な色でなく複雑な色合いを楽しむことが可能である。また、同系色の異なる色を採用することで中央から外側に向かっての色の変化が強調されて見えるので、カバー部３０の形状がより立体的に見えるという視覚効果を得ることもできる。
【００３７】
また、貯液部２１の受穴部２４でカバー部３０の支柱部３１を支持することで、カバー部３０に流水が衝突するとカバー部３０が適度に揺れ動くことになり、視覚的に楽しませるという効果も得ることができる。
【符号の説明】
【００３８】
１０  支持部
２０  薬液収容部
２１  貯液部
２４  受穴部
２７  円筒部
２８  係止部
３０  カバー部
３１  支柱部
【図１】
2019183489.tif 000003
【図２】
2019183489.tif 000004
【図３】
2019183489.tif 000005
【図４】
2019183489.tif 000006